(57)【要約】【課題】一つの光源から発せられる光の変化のタイミングに適応的に別の光源に発光させることが可能な、制御装置、制御システム、および制御方法を提案する。【解決手段】第１の光源から発せられる光のプロファイル、および、前記第１の光源と、術部に対して光を照射するための第２の光源との間でタイミングを同期させるための同期信号に基づいて、前記第２の光源に対する発光の制御を行う光源制御部、を備える、制御装置。【選択図】図１
2018025457.tif 000002
【特許請求の範囲】
【請求項１】
第１の光源から発せられる光のプロファイル、および、前記第１の光源と、術部に対して光を照射するための第２の光源との間でタイミングを同期させるための同期信号に基づいて、前記第２の光源に対する発光の制御を行う光源制御部、
を備える、制御装置。
【請求項２】
前記プロファイルは、前記第１の光源から発せられる光の明るさの変化の規則性に関する情報を含む、請求項１に記載の制御装置。
【請求項３】
前記プロファイルは、前記第１の光源から発せられる光の変調パターン、発光周波数、または、当該光の照明色を含む、請求項２に記載の制御装置。
【請求項４】
前記制御装置は、前記第１の光源から発せられる光が照射される被写体の撮像画像を解析することにより前記プロファイルを特定するプロファイル特定部をさらに備える、請求項２に記載の制御装置。
【請求項５】
前記制御装置は、前記第１の光源から発せられる光の測定結果を解析することにより前記プロファイルを特定するプロファイル特定部をさらに備える、請求項２に記載の制御装置。
【請求項６】
前記光源制御部は、前記プロファイルが示す、前記第１の光源から発せられる光の強度の変化に応じて、前記第２の光源の発光強度を変化させる、請求項２に記載の制御装置。
【請求項７】
前記光源制御部は、前記第１の光源から光が発せられない期間には前記第２の光源に発光させ、かつ、前記第１の光源から光が発せられる期間には前記第２の光源に発光させない、請求項６に記載の制御装置。
【請求項８】
前記第１の光源は、第１の光を発し、
前記第２の光源は、前記第１の光とは異なる種類の第２の光を発する、請求項７に記載の制御装置。
【請求項９】
前記光源制御部は、前記第１の光源から発せられる光の強度が小さくなるほど、前記第２の光源の発光強度が大きくなるように、前記第２の光源に対する発光の制御を行う、請求項６に記載の制御装置。
【請求項１０】
前記光源制御部は、前記第１の光源から発せられる光の光量と、目標光量との比較に基づいて、前記第２の光源の発光量を決定する、請求項６に記載の制御装置。
【請求項１１】
前記第１の光源および前記第２の光源は、同じ種類の光を発する、請求項９に記載の制御装置。
【請求項１２】
前記光源制御部は、さらに、ユーザにより指定される観察モードに基づいて、前記第２の光源に対する発光の制御を行う、請求項６に記載の制御装置。
【請求項１３】
前記制御装置は、前記第１の光源から発せられる光が照射される被写体の撮像画像を解析することにより前記同期信号を特定する同期信号特定部をさらに備える、請求項２に記載の制御装置。
【請求項１４】
前記制御装置は、前記第１の光源から発せられる光の測定結果に基づいて、前記同期信号を特定する同期信号特定部をさらに備える、請求項２に記載の制御装置。
【請求項１５】
前記制御装置は、前記同期信号に基づいて、撮像部に対する撮像の制御を行う撮像制御部をさらに備える、請求項１に記載の制御装置。
【請求項１６】
前記撮像制御部は、前記撮像部に、前記同期信号に同期して撮像させる、請求項１５に記載の制御装置。
【請求項１７】
前記光源制御部は、さらに、前記プロファイルと前記同期信号とに基づいて、前記第１の光源に対する発光の制御を行う、請求項１に記載の制御装置。
【請求項１８】
前記第２の光源は、半導体光源である、請求項１に記載の制御装置。
【請求項１９】
第１の光源と、
術部に対して光を照射するための第２の光源と、
撮像部と、
前記第１の光源から発せられる光のプロファイル、および、前記第１の光源と前記第２の光源との間でタイミングを同期させるための同期信号に基づいて、前記第２の光源に対する発光の制御を行う光源制御部と、
前記同期信号に基づいて、前記撮像部に対する撮像の制御を行う撮像制御部と、
を備える、制御システム。
【請求項２０】
第１の光源から発せられる光のプロファイル、および、前記第１の光源と、術部に対して光を照射するための第２の光源との間でタイミングを同期させるための同期信号に基づいて、前記第２の光源に対する発光の制御をプロセッサが行うこと、
を含む、制御方法。
【発明の詳細な説明】
【技術分野】
【０００１】
本開示は、制御装置、制御システム、および制御方法に関する。
【背景技術】
【０００２】
従来、例えばＬＥＤ（Light  Emitting  Diode）や蛍光灯などの照明機器が各種開発されている。【０００３】
また、例えば顕微鏡装置などの測定装置を用いて、測定対象からデータを取得するための技術が各種提案されている（例えば、下記特許文献１参照）。
【先行技術文献】
【特許文献】
【０００４】
【特許文献１】特開２０１５−１６９４３８号公報
【発明の概要】
【発明が解決しようとする課題】
【０００５】
ところで、一つの光源から発せられる光の明るさは時間の経過に応じて変化し得る。このため、例えば、一つの光源による発光中に撮像を行う場面では、撮像タイミングによって、撮像される画像の明るさが変化してしまう。【０００６】
そこで、本開示では、一つの光源から発せられる光の変化のタイミングに適応的に別の光源に発光させることが可能な、新規かつ改良された制御装置、制御システム、および制御方法を提案する。
【課題を解決するための手段】
【０００７】
本開示によれば、第１の光源から発せられる光のプロファイル、および、前記第１の光源と、術部に対して光を照射するための第２の光源との間でタイミングを同期させるための同期信号に基づいて、前記第２の光源に対する発光の制御を行う光源制御部、を備える、制御装置が提供される。【０００８】
また、本開示によれば、第１の光源と、術部に対して光を照射するための第２の光源と、撮像部と、前記第１の光源から発せられる光のプロファイル、および、前記第１の光源と前記第２の光源との間でタイミングを同期させるための同期信号に基づいて、前記第２の光源に対する発光の制御を行う光源制御部と、前記同期信号に基づいて、前記撮像部に対する撮像の制御を行う撮像制御部と、を備える、制御システムが提供される。【０００９】
また、本開示によれば、第１の光源から発せられる光のプロファイル、および、前記第１の光源と、術部に対して光を照射するための第２の光源との間でタイミングを同期させるための同期信号に基づいて、前記第２の光源に対する発光の制御をプロセッサが行うこと、を含む、制御方法が提供される。
【発明の効果】
【００１０】
以上説明したように本開示によれば、一つの光源から発せられる光の変化のタイミングに適応的に別の光源に発光させることができる。なお、ここに記載された効果は必ずしも限定されるものではなく、本開示中に記載されたいずれかの効果であってもよい。
【図面の簡単な説明】
【００１１】
【図１】第１の実施形態による制御システムの構成例を示した説明図である。
【図２】第１の実施形態による制御装置１０‐１の構成例を示した機能ブロック図である。
【図３】第１の実施形態による外部光源プロファイルおよび同期信号の解析例を示した説明図である。
【図４】第１の実施形態による自光源プロファイルの生成例を示した説明図である。
【図５】第１の実施形態による自光源プロファイルの別の生成例を示した説明図である。
【図６】第１の実施形態による光源部２０２に対する発光制御、および、撮像制御の例を示した説明図である。
【図７】第１の実施形態による動作例を示したフローチャートである。
【図８】第１の実施形態の応用例による表示用画像の生成例を示した説明図である。
【図９】第２の実施形態による制御システムの構成例を示した説明図である。
【図１０】第２の実施形態による制御装置１０‐２の構成例を示した機能ブロック図である。
【図１１】第２の実施形態による自光源プロファイルの生成例を示した説明図である。
【図１２】第２の実施形態による同期信号の検出例を示した説明図である。
【図１３】第２の実施形態による動作例を示したフローチャートである。
【図１４】第３の実施形態による制御装置１０‐３の構成例を示した機能ブロック図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて制御装置１０‐１ａおよび制御装置１０‐１ｂのように区別する。ただし、実質的に同一の機能構成を有する複数の構成要素の各々を特に区別する必要がない場合、同一符号のみを付する。例えば、制御装置１０‐１ａおよび制御装置１０‐１ｂを特に区別する必要が無い場合には、単に制御装置１０‐１と称する。
【００１４】
また、以下に示す項目順序に従って当該「発明を実施するための形態」を説明する。
１．第１の実施形態
２．第２の実施形態
３．第３の実施形態
４．変形例
【００１５】
なお、本明細書及び図面において、後述する各実施形態による制御装置１０‐１、制御装置１０‐２、および、制御装置１０‐３を総称して、制御装置１０と称する場合がある。
【００１６】
＜＜１．第１の実施形態＞＞
＜１−１．制御システムの構成＞
まず、第１の実施形態について説明する。第１の実施形態では、手術室において医師が、後述する観察装置２０を利用しながら、開頭手術を行う場面を中心として説明を行う。なお、開頭手術に限定されず、開腹手術や開胸手術などのオープン手術を行う場面にも第１の実施形態は適用可能である。
【００１７】
図１は、第１の実施形態による制御システムの構成例を示した説明図である。図１に示すように、第１の実施形態による制御システムは、観察システム２、および、外部光源３０を含む。また、観察システム２は、制御装置１０‐１、観察装置２０、および、表示装置３２を含む。なお、図１では、術者４が、当該制御システムを用いて、患者ベッド６上の患者８に対して手術を行っている様子を示している。また、以下の制御システムについての説明において、「ユーザ」とは、術者及び助手等、制御システムを使用する任意の医療スタッフのことを意味する。
【００１８】
{１−１−１．観察装置２０}
観察装置２０は、観察対象（患者の術部）を観察するための観察部２２と、観察部２２を先端で支持するアーム部２６と、アーム部２６の基端を支持するベース部２８と、を有する。
【００１９】
観察部２２は、略円筒形状の筒状部２４と、当該筒状部２４の内部に設けられる撮像部２００（図１では不図示）と、筒状部２４の外周の一部領域に設けられる操作部（図示せず）と、から構成される。観察部２２は、例えば顕微鏡部である。一例として、観察部２２は、撮像部２００によって電子的に撮像画像を撮像する、電子撮像式の顕微鏡部（いわゆるビデオ式の顕微鏡部）である。
【００２０】
筒状部２４の下端の開口面には、内部の撮像部２００を保護するカバーガラスが設けられる。観察対象からの光（以下、観察光ともいう）は、当該カバーガラスを通過して、筒状部２４の内部の撮像部２００に入射する。また、筒状部２４の内部には光源部２０２が設けられ得る。そして、撮像時には、当該カバーガラスを介して、光源部２０２から観察対象に対して光が照射され得る。
【００２１】
光源部２０２は、本開示における第２の光源の一例である。光源部２０２は、例えばＬＥＤや半導体レーザなどの半導体光源であり得る。光源部２０２は、その照射光量、照射光の波長（色）及び光の照射方向等を適宜調整可能である。例えば、光源部２０２は、可視光および赤外光を照射可能である。
【００２２】
撮像部２００は、観察光を集光する光学系と、当該光学系が集光した観察光を受光する撮像素子と、から構成される。当該光学系は、ズームレンズ及びフォーカスレンズを含む複数のレンズが組み合わされて構成され、その光学特性は、観察光を撮像素子の受光面上に結像するように調整されている。当該撮像素子は、観察光を受光して光電変換することにより、観察光に対応した信号、すなわち観察像に対応した画像信号を生成する。当該撮像素子としては、例えばＢａｙｅｒ配列を有するカラー撮影可能なものが用いられる。当該撮像素子は、ＣＭＯＳ（Complementary  Metal  Oxide  Semiconductor）イメージセンサ又はＣＣＤ（Charge  Coupled  Device）イメージセンサ等、各種の公知の撮像素子であってよい。撮像素子によって生成された画像信号は、ＲＡＷデータとして、後述する制御装置１０‐１に送信される。ここで、この画像信号の送信は、好適に光通信によって行われてもよい。手術現場では、術者が撮像画像によって患部の状態を観察しながら手術を行うため、より安全で確実な手術のためには、術部の動画像が可能な限りリアルタイムに表示されることが求められるからである。光通信で画像信号が送信されることにより、低レイテンシで撮像画像を表示することが可能となる。
【００２３】
なお、撮像部２００は、その光学系のズームレンズ及びフォーカスレンズを光軸に沿って移動させる駆動機構を有してもよい。当該駆動機構によってズームレンズ及びフォーカスレンズが適宜移動されることにより、撮像画像の拡大倍率及び撮像時の焦点距離が調整され得る。また、撮像部２００には、ＡＥ（Auto  Exposure）機能やＡＦ（Auto  Focus）機能等、一般的に電子撮像式の顕微鏡部に備えられ得る各種の機能が搭載されてもよい。
【００２４】
また、撮像部２００は、１つの撮像素子を有するいわゆる単板式の撮像部２００として構成されてもよいし、複数の撮像素子を有するいわゆる多板式の撮像部２００として構成されてもよい。撮像部２００が多板式で構成される場合には、例えば各撮像素子によってＲＧＢそれぞれに対応する画像信号が生成され、それらが合成されることによりカラー画像が得られてもよい。あるいは、当該撮像部２００は、立体視（３Ｄ表示）に対応する右目用及び左目用の画像信号をそれぞれ取得するための１対の撮像素子を有するように構成されてもよい。３Ｄ表示が行われることにより、術者は術部における生体組織の奥行きをより正確に把握することが可能になる。なお、当該撮像部２００が多板式で構成される場合には、各撮像素子に対応して、光学系も複数系統が設けられ得る。
【００２５】
操作部は、例えば十字レバー又はスイッチ等によって構成され、ユーザの操作入力を受け付ける入力手段である。例えば、ユーザは、操作部を介して、観察像の拡大倍率及び観察対象までの焦点距離を変更する旨の指示を入力することができる。当該指示に従って撮像部２００の駆動機構がズームレンズ及びフォーカスレンズを適宜移動させることにより、拡大倍率及び焦点距離が調整され得る。また、例えば、ユーザは、操作部を介して、アーム部２６の動作モード（後述するオールフリーモード及び固定モード）を切り替える旨の指示を入力することができる。なお、ユーザが観察部２２を移動させようとする場合には、当該ユーザは筒状部２４を握るように把持した状態で当該観察部２２を移動させる様態が想定される。従って、操作部は、ユーザが筒状部２４を移動させている間でも操作可能なように、ユーザが筒状部２４を握った状態で指によって容易に操作しやすい位置に設けられることが好ましい。
【００２６】
アーム部２６は、複数のリンクが、複数の関節部によって互いに回動可能に連結されることによって構成される。
【００２７】
{１−１−２．制御装置１０‐１}
制御装置１０‐１は、観察装置２０及び表示装置３２の動作を制御することにより、観察システム２の動作を統括的に制御する。例えば、制御装置１０‐１は、所定の制御方式に従ってアーム部２６内の各関節部のアクチュエータを動作させることにより、アーム部２６の駆動を制御する。また、例えば、制御装置１０‐１は、観察装置２０の撮像部２００によって取得された画像信号に各種の信号処理を施すことにより、表示用の画像データを生成するとともに、当該画像データを表示装置３２に表示させる。当該信号処理では、例えば現像処理（デモザイク処理）、高画質化処理（帯域強調処理、超解像処理、ＮＲ（Noise  reduction）処理及び／又は手ブレ補正処理等）及び／又は拡大処理（すなわち、電子ズーム処理）等、各種の公知の信号処理が行われてよい。
【００２８】
なお、制御装置１０‐１と観察部２２との通信、及び制御装置１０‐１とアーム部２６内の各関節部との通信は、有線通信であってもよいし、無線通信であってもよい。有線通信の場合には、電気信号による通信が行われてもよいし、光通信が行われてもよい。この場合、有線通信に用いられる伝送用のケーブルは、その通信方式に応じて電気信号ケーブル、光ファイバ、又はこれらの複合ケーブルとして構成され得る。一方、無線通信の場合には、手術室内に伝送ケーブルを敷設する必要がなくなるため、当該伝送ケーブルによって医療スタッフの手術室内の移動が妨げられる事態が解消され得る。
【００２９】
制御装置１０‐１は、ＣＰＵ（Central  Processing  Unit）、ＧＰＵ（Graphics  Processing  Unit）等のプロセッサ、又はプロセッサとメモリ等の記憶素子が混載されたマイコン若しくは制御基板等を含み得る。制御装置１０‐１のプロセッサが所定のプログラムに従って動作することにより、上述した各種の機能が実現され得る。または、制御装置１０‐１は、プロセッサの代わりに、または、プロセッサとともに、ＦＰＧＡ（field-programmable gate array）等のプログラマブルロジックデバイスを含み得る。この場合、制御装置１０‐１のＦＰＧＡが、ハードウェア記述言語などを用いてユーザが指定した構成に従って動作することにより、上述した各種の機能が実現され得る。
【００３０】
なお、図示する例では、制御装置１０‐１は、観察装置２０と別個の装置として設けられているが、制御装置１０‐１は、観察装置２０のベース部２８の内部に設置され、観察装置２０と一体的に構成されてもよい。あるいは、制御装置１０‐１は、複数の装置によって構成されてもよい。例えば、観察部２２や、アーム部２６内の各関節部にそれぞれマイコンや制御基板等が配設され、これらが互いに通信可能に接続されることにより、制御装置１０‐１と同様の機能が実現されてもよい。
【００３１】
{１−１−３．表示装置３２}
表示装置３２は、手術室内に設けられ、制御装置１０‐１からの制御により、当該制御装置１０‐１によって生成された画像データに対応する画像を表示する。つまり、表示装置３２には、観察部２２によって撮影された術部の画像が表示される。なお、表示装置３２は、術部の画像に代えて、又は術部の画像とともに、例えば患者の身体情報や手術の術式についての情報等、手術に関する各種の情報を表示してもよい。この場合、表示装置３２の表示は、ユーザによる操作によって適宜切り替えられてよい。あるいは、表示装置３２は複数設けられてもよく、複数の表示装置３２のそれぞれに、術部の画像や手術に関する各種の情報が、それぞれ表示されてもよい。なお、表示装置３２としては、液晶ディスプレイ装置又はＥＬ（Electro  Luminescence）ディスプレイ装置等、各種の公知の表示装置が適用されてよい。
【００３２】
例えば、図１に示したように、手術時には、観察装置２０によって撮影された術部の画像が、例えば手術室の壁面に設置される表示装置３２に拡大表示される。表示装置３２は、術者４と対向する位置に設置されており、術者４は、表示装置３２に映し出された映像によって術部の様子を観察しながら、例えば患部の切除等、当該術部に対して各種の処置を行う。
【００３３】
なお、表示装置３２は、手術室の壁面に設置される例に限定されず、手術室の天井から吊り下げられて設置されてもよいし、手術室内の机上に配置されてもよい。または、表示装置３２は、表示機能を有するモバイル機器であってもよいし、または、制御装置１０‐１または観察装置２０と一体的に構成されてもよい。
【００３４】
{１−１−４．外部光源３０}
外部光源３０は、本開示における第１の光源の一例である。外部光源３０は、手術室内に設置されている光源である。例えば、外部光源３０は、手術室の天井に設けられ、少なくとも術者の手元を照射する。外部光源３０は、その照射光量、照射光の波長（色）及び光の照射方向等を適宜調整可能であってよい。この外部光源３０では、商用電源周波数（例えば５０Ｈｚ以上）に応じて点滅するなど、発光の明るさが周期的に変化し得る。
【００３５】
この外部光源３０は、無影灯であり得る。また、外部光源３０は、ＬＥＤにより構成され得る。
【００３６】
なお、第１の実施形態による制御システムの構成は、上述した例に限定されない。例えば、観察装置２０は、その先端に観察部２２に代えて、例えば内視鏡などの他の観察装置を支持する、支持アーム装置としても機能し得る。すなわち、当該制御システム（または観察システム２）は、顕微鏡手術システムおよび内視鏡手術システムに適用可能である。ここで、当該他の観察装置は、撮像部２００を含む。また、当該他の観察装置は、光源部２０２をさらに含んでもよいし、光源部２０２を含まなくてもよい。後者の場合、光源部２０２は、当該他の観察装置とは別に、当該支持アーム装置に支持され得る。これらの観察装置（および光源部２０２）を支持アーム装置によって支持することにより、医療スタッフが人手で支持する場合に比べて、より安定的に位置を固定することが可能となるとともに、医療スタッフの負担を軽減することが可能となる。
【００３７】
{１−１−５．課題の整理}
以上、第１の実施形態による制御システムの構成について説明した。ところで、従来、インドシアニングリーン（ＩＣＧ）を用いた赤外励起蛍光観察、つまり、ＩＣＧを体組織に局注するとともに当該体組織にその試薬の蛍光波長に対応した励起光を照射し蛍光像を観察することが行われている。しかしながら、オープン手術の際に、ＩＣＧを用いた赤外励起蛍光観察を行うためには、手術室内を暗くする必要があった。
【００３８】
また、別の課題として、外部光源３０は観察システム２と同期・同調していないので、明るい箇所や暗い箇所が現れるバンディングや、フリッカなどのアーティファクトが、撮像部２００により撮像される画像内に発生し得る。
【００３９】
そこで、上記事情を一着眼点にして、第１の実施形態による制御装置１０‐１を創作するに至った。第１の実施形態によれば、制御装置１０‐１は、外部光源３０から発せられる光のプロファイル（以下、外部光源プロファイルと称する）と、外部光源３０から発せられる光に基づいて特定される同期信号とに基づいて、光源部２０２に対する発光の制御を行う。これにより、外部光源３０から発せられる光の明るさの変化のタイミングに適応的に光源部２０２に発光させることができる。例えば、外部光源３０が発光していない際に光源部２０２に赤外光を発光させたり、または、外部光源３０の光量不足を補うように光源部２０２に可視光を発光させることができる。
【００４０】
＜１−２．構成＞
次に、第１の実施形態による制御装置１０‐１の構成について詳細に説明する。図２は、第１の実施形態による制御装置１０‐１の構成例を示した機能ブロック図である。図２に示すように、制御装置１０‐１は、外部光源プロファイル解析部１００、自光源プロファイル生成部１０２、同期信号解析部１０４、同期制御部１０６、および、光源制御部１０８を有する。
【００４１】
{１−２−１．外部光源プロファイル解析部１００}
外部光源プロファイル解析部１００は、本開示におけるプロファイル特定部の一例である。外部光源プロファイル解析部１００は、撮像部２００により撮像される、外部光源３０からの光が照射される被写体の画像に基づいて、外部光源プロファイルを解析する。ここで、外部光源プロファイルは、外部光源３０から発せられる光の明るさの変化の規則性に関する情報を含み得る。例えば、外部光源プロファイルは、外部光源３０から発せられる光の変調パターン、発光周波数、および、照明色を含む。
【００４２】
例えば、外部光源プロファイル解析部１００は、まず、撮像部２００による撮像に基づいて、相対的に明るい画像が撮像される期間（つまり外部光源３０の発光強度が相対的に大きい期間）の長さと、相対的に暗い画像が撮像される期間（つまり外部光源３０の発光強度が相対的に小さい期間）の長さとを特定する。例えば、外部光源３０がＬＥＤ照明である場合には、外部光源プロファイル解析部１００は、撮像部２００による撮像に基づいて、外部光源３０が点灯している期間の長さと、外部光源３０が消灯している期間の長さとを特定する。
【００４３】
そして、外部光源プロファイル解析部１００は、これらの期間の長さの関係性に基づいて、外部光源３０の発光の周期などを解析する。これにより、図３に示したグラフ（ａ）のような、外部光源３０の発光強度の波形５０が特定され得る。
【００４４】
なお、外部光源プロファイル解析部１００は、撮像部２００により撮像された静止画像に基づいて外部光源プロファイルを解析することも可能であるし、または、撮像された動画像、つまり一連の画像に基づいて外部光源プロファイルを解析することも可能である。また、外部光源プロファイル解析部１００は、基本的には外部光源プロファイルを（例えば手術時などに）リアルタイムに解析する。但し、かかる例に限定されず、外部光源プロファイル解析部１００は、外部光源プロファイルを例えば手術前など、事前に解析しておいてもよい。
【００４５】
（１−２−１−１．変形例）
なお、変形例として、外部光源プロファイルに含まれる全部または一部の情報は、制御装置１０‐１、または、制御装置１０‐１と通信可能な他の装置にプリセットされ得る。この場合、外部光源プロファイル解析部１００は、プリセットされている情報を該当の装置から取得することにより、外部光源プロファイルを取得することも可能である。
【００４６】
{１−２−２．自光源プロファイル生成部１０２}
自光源プロファイル生成部１０２は、外部光源プロファイル解析部１００により解析された外部光源プロファイルに基づいて、自光源プロファイルを生成する。また、自光源プロファイル生成部１０２は、さらに、ユーザにより指定される観察モードに基づいて、自光源プロファイルを生成することが可能である。
【００４７】
ここで、観察モードは、例えば、可視光／赤外光時分割撮像モードおよびアシストモードを含む。可視光／赤外光時分割撮像モードは、外部光源３０による可視光の発光と、光源部２０２による赤外光の発光とが交互になされ、かつ、それぞれの発光タイミングごとに撮像部２００により一フレームずつ順次撮像されるモードである。ここで、可視光は、本開示における第１の光の一例であり、また、赤外光は、本開示における第２の光の一例である。また、アシストモードは、外部光源３０の光量不足を補うように、光源部２０２に可視光を発光させるモードである。例えば、アシストモードは、外部光源３０の発光量と光源部２０２の発光量との合計が略一定になるように、光源部２０２による可視光の発光量を逐次調整するモードである。なお、アシストモードでは、さらに、外部光源３０と略同一の照明色の可視光を光源部２０２に発光させるように制御してもよい。
【００４８】
図４は、観察モードとして可視光／赤外光時分割撮像モードが指定された場合における自光源プロファイルの生成例を示した説明図である。この場合、図４に示した（光源部２０２の発光強度の）波形５４ａのように、自光源プロファイル生成部１０２は、外部光源３０が発光しない期間（時刻ｔ２〜時刻ｔ３の間など）には例えば１００％の発光強度で赤外光を光源部２０２に発光させ、かつ、外部光源３０が発光する期間（時刻ｔ３〜時刻ｔ４の間など）には光源部２０２に発光させないように制御するための自光源プロファイルを生成する。
【００４９】
また、図５は、観察モードとしてアシストモードが指定された場合における自光源プロファイルの生成例を示した説明図である。この場合、図５に示した（光源部２０２の発光強度の）波形５４ｂのように、自光源プロファイル生成部１０２は、外部光源３０が発光しない期間（時刻ｔ２〜時刻ｔ３の間など）には「１００％」の発光強度で可視光を光源部２０２に発光させ、かつ、外部光源３０が発光する期間（時刻ｔ３〜時刻ｔ４の間など）には「１００％」未満の所定の発光強度で可視光を光源部２０２に発光させるように制御するための自光源プロファイルを生成する。ここで、所定の発光強度は、光源部２０２の「１００％」の発光強度と外部光源３０の「１００％」の発光強度との差に等しい、光源部２０２の発光強度であり得る。
【００５０】
なお、観察モードの設定情報は、制御装置１０‐１内に記憶され得る。また、観察モードは、例えば操作部（図示省略）に対するユーザの操作に基づいて随時変更され得る。この操作部は、上述した観察装置２０の操作部であってもよいし、制御装置１０‐１に設置されていてもよいし、または、手術室内に別途設けられてもよい。
【００５１】
また、自光源プロファイル生成部１０２は、生成した自光源プロファイルを光源制御部１０８へ伝達する。
【００５２】
{１−２−３．同期信号解析部１０４}
同期信号解析部１０４は、本開示における同期信号特定部の一例である。同期信号解析部１０４は、撮像部２００による撮像画像に基づいて、同期すべき周期およびタイミングを解析することにより、同期信号をリアルタイムに解析する。例えば、図３に示した例では、同期信号解析部１０４は、撮像部２００により撮像される画像４０の明るさの変化のタイミングに基づいて、図３に示したグラフ（ｂ）のように同期信号５２を解析する。一例として、同期信号解析部１０４は、外部光源３０が発光していない状態から外部光源３０が発光を開始するタイミングを、同期信号の出力タイミングとして解析する。
【００５３】
また、同期信号解析部１０４は、解析した同期信号を同期制御部１０６へ伝達する。
【００５４】
{１−２−４．同期制御部１０６}
同期制御部１０６は、本開示における撮像制御部の一例である。同期制御部１０６は、同期信号解析部１０４により解析された同期信号に基づいて、撮像部用同期信号および自光源用同期信号を生成する。例えば、同期制御部１０６は、同期信号解析部１０４により解析された同期信号に基づいて同期周波数および同期位相を調整することにより、撮像部用同期信号および自光源用同期信号を生成する。また、同期制御部１０６は、生成した自光源用同期信号を光源制御部１０８へ伝達する。
【００５５】
また、同期制御部１０６は、生成した撮像部用同期信号に基づいて、撮像部２００に対する撮像の制御を行うことが可能である。例えば、同期制御部１０６は、撮像部用同期信号の出力タイミングに同期して、新たなフレームの撮像を撮像部２００に開始させるように制御する。あるいは、同期制御部１０６は、生成した撮像部用同期信号（自体）を撮像部２００に提供することも可能である。この場合、撮像部２００は、受信される撮像部用同期信号に基づいて撮像を行う。
【００５６】
図６は、外部光源３０の発光強度の波形を示すグラフ（ａ）、光源部２０２に対する発光制御の時間変化を示すグラフ（ｂ）、および、撮像部２００に対する撮像制御の時間変化を示すグラフ（ｃ）を並べて示した図である。なお、図６では、観察モードとして可視光／赤外光時分割撮像モードが指定された場合の例を示している。図６に示したように、同期制御部１０６は、外部光源３０の発光状態がＯＮとＯＦＦとの間で切り替わるタイミングごとに、新たなフレームの撮像を開始させるように撮像部２００を制御する。これにより、外部光源３０の点滅の度に、外部光源３０による可視光の発光期間と、光源部２０２による赤外光の発光期間とでそれぞれ一フレームずつ撮像される。そして、外部光源３０の発光時に撮像されたフレーム画像５６０と、フレーム画像５６０の直後の赤外光の発光時に撮像されたフレーム画像５６２とを重畳した鮮明な画像を表示装置３２に表示させることができる。
【００５７】
{１−２−５．光源制御部１０８}
光源制御部１０８は、自光源プロファイル生成部１０２により生成された自光源プロファイルと、同期制御部１０６により生成された自光源用同期信号とに基づいて、光源部２０２に対する発光の制御を行う。図６に示した例では、光源制御部１０８は、外部光源３０の発光状態がＯＮからＯＦＦに切り替わるタイミング（例えば時刻ｔ２）に光源部２０２の発光状態がＯＦＦからＯＮになるように、光源部２０２の発光を制御する。なお、上述したように、光源部２０２は半導体光源であり得るので、光源制御部１０８による制御に対して反応性良く光を照射することができる。
【００５８】
なお、第１の実施形態による制御装置１０‐１の構成は上述した例に限定されない。例えば、外部光源プロファイル解析部１００、自光源プロファイル生成部１０２、同期信号解析部１０４、同期制御部１０６、および、光源制御部１０８のうちいずれか一以上は、制御装置１０‐１の代わりに、観察装置２０内に設けられてもよい。
【００５９】
＜１−３．動作＞
以上、第１の実施形態による構成について説明した。次に、第１の実施形態による動作について、図７を参照して説明する。図７は、第１の実施形態による動作例を示したフローチャートである。
【００６０】
図７に示したように、まず、制御装置１０‐１は、撮像部２００により撮像された、外部光源３０からの光が照射される被写体の撮像画像を撮像部２００から取得する（Ｓ１０１）。
【００６１】
続いて、外部光源プロファイル解析部１００は、取得された画像に基づいて外部光源プロファイルを解析する。同時に、同期信号解析部１０４は、取得された画像に基づいて同期信号を解析する（Ｓ１０３）。
【００６２】
続いて、自光源プロファイル生成部１０２は、例えば制御装置１０‐１内に記憶されている、ユーザにより指定された観察モードを特定する（Ｓ１０５）。そして、自光源プロファイル生成部１０２は、Ｓ１０３で解析された外部光源プロファイル、および、Ｓ１０５で特定された観察モードに基づいて、自光源プロファイルを生成する（Ｓ１０７）。
【００６３】
続いて、同期制御部１０６は、Ｓ１０３で解析された同期信号に基づいて、撮像部用同期信号および自光源用同期信号を生成する。そして、光源制御部１０８は、生成された自光源用同期信号と、Ｓ１０７で生成された自光源プロファイルとに基づいて、光源部２０２に発光させる。同時に、同期制御部１０６は、生成した撮像部用同期信号に基づいて、撮像部２００に撮像させる（Ｓ１０９）。
【００６４】
その後、制御装置１０‐１は、Ｓ１０９で撮像された画像を表示装置３２に表示させる（Ｓ１１１）。そして、観察の終了操作がユーザによりなされた場合には（Ｓ１１３：Ｙｅｓ）、本動作は終了する。一方、観察の終了操作がなされていない場合には（Ｓ１１３：Ｎｏ）、制御装置１０‐１は、再びＳ１０９以降の処理を繰り返す。
【００６５】
＜１−４．効果＞
以上説明したように、第１の実施形態によれば、制御装置１０‐１は、外部光源３０から発せられる光が照射される被写体の撮像画像に基づいて特定される外部光源プロファイルと、当該撮像画像に基づいて特定される同期信号とに基づいて、光源部２０２に対する発光の制御を行う。これにより、外部光源３０から発せられる光の明るさの変化のタイミングに適応的に、光源部２０２に発光させることができる。
【００６６】
例えば、観察モードとして可視光／赤外光時分割撮像モードがユーザにより指定される場合には、制御装置１０‐１は、外部光源３０が発光しない期間にのみ光源部２０２に赤外光を発光させる。このため、オープン手術の際に、外部光源３０を消灯せずに（つまり手術室内を暗くせずに）、可視光観察、および、ＩＣＧを用いた赤外励起蛍光観察を同時に行うことができ、手術時の利便性を向上させることができる。
【００６７】
また、観察モードとしてアシストモードがユーザにより指定される場合には、制御装置１０‐１は、外部光源３０の発光量と光源部２０２の発光量との合計が略一定になるように、光源部２０２による可視光の発光量を逐次調整する。これにより、撮像部２００により撮像される画像において、例えばバンディングやフリッカなどの、外部光源３０起因のアーティファクトの発生を防止することができる。また、外部光源３０の光量不足を補うことができる。従って、より鮮明な術部画像を撮像し、表示装置３２に表示することができるので、手術をより安全にかつより確実に行うことが可能になる。
【００６８】
＜１−５．応用例＞
以上、第１の実施形態について説明した。上述したように、制御装置１０‐１は、外部光源３０の発光周波数に応じた周波数で撮像部２００に撮像させる。このため、仮に１０００Ｈｚなどの非常に高い周波数で外部光源３０が点滅している場合には、１フレーム当たりの露光時間の長さが非常に小さくなる。従って、個々のフレームに関して十分な露光量が得られず、暗い画像が撮像され得る。
【００６９】
そこで、第１の実施形態の応用例として、制御装置１０‐１は、撮像部２００により撮像された、外部光源３０の発光周波数に応じた枚数のフレーム画像に基づいて、表示用画像を生成することも可能である。ここで、図８を参照して、上記の機能についてより詳細に説明する。図８では、可視光／赤外光時分割撮像モード時における表示用画像（表示用画像５６４）の生成例を示した説明図である。なお、図８では、可視光の発光時（つまり外部光源３０の発光時）において撮像されるフレーム画像５６０に関する表示用画像５６４の生成例を示しているが、光源部２０２による赤外光の発光時において撮像されるフレーム画像５６２に関する表示用画像に関しても同様の方法により生成される。
【００７０】
図８に示したように、制御装置１０‐１は、撮像部２００により撮像された、外部光源３０の発光周波数に応じた枚数（図８に示した例では１６枚）のフレーム画像５６０ごとに、該当の枚数のフレーム画像５６０を加算処理することにより、表示用画像５６４を生成する。例えば、制御装置１０‐１は、画素ごとに、当該複数のフレーム画像５６０内の当該画素の画素値を加算することにより、表示用画像５６４を生成する。これにより、外部光源３０が高い周波数で点滅している場合であっても、明るい画像を表示することが可能となるので、特に可視光／赤外光時分割撮像モード時において有効である。
【００７１】
＜＜２．第２の実施形態＞＞
以上、第１の実施形態について説明した。上述したように、第１の実施形態では、制御装置１０‐１は、外部光源３０から発せられる光が照射される被写体の撮像画像に基づいて外部光源プロファイルを特定する。
【００７２】
次に、第２の実施形態について説明する。後述するように、第２の実施形態による制御装置１０‐２は、外部光源３０から発せられる光の測定結果に基づいて外部光源プロファイルを特定することが可能である。
【００７３】
＜２−１．制御システムの構成＞
図９は、第２の実施形態による制御システムの構成例を示した説明図である。図９に示すように、第２の実施形態による制御システムは、第１の実施形態と比較して外光センサ３４をさらに含み、かつ、制御装置１０‐１の代わりに制御装置１０‐２を含む。また、図９に示したように、第２の実施形態では、外部光源３０が例えば蛍光灯３０ｂなど、発光強度の波形が矩形波にならないような種類の光源であることを想定する。なお、以下では第１の実施形態と異なる内容についてのみ説明を行うこととし、重複する内容については説明を省略する。
【００７４】
{２−１−１．外光センサ３４}
外光センサ３４は、周囲の光のエネルギーを検出するセンサである。外光センサ３４は、光伝導型または光起電型のセンサであり得る。例えば、外光センサ３４は、外部光源３０から発せられる光量を測定する。また、外光センサ３４は、有線通信または無線通信により制御装置１０‐２との間で通信を行うことが可能である。
【００７５】
＜２−２．構成＞
次に、第２の実施形態による制御装置１０‐２の構成について詳細に説明する。図１０は、第２の実施形態による制御装置１０‐２の構成例を示した機能ブロック図である。図１０に示すように、制御装置１０‐２は、図２に示した制御装置１０‐１と比較して、同期信号検出部１１０をさらに有し、かつ、同期信号解析部１０４を有しない。なお、以下では、第１の実施形態と異なる機能を有する構成要素についてのみ説明を行う。
【００７６】
{２−２−１．外部光源プロファイル解析部１００}
第２の実施形態による外部光源プロファイル解析部１００は、外光センサ３４による、外部光源３０から発せられる光の測定結果に基づいて、外部光源プロファイルを解析する。例えば、外部光源プロファイル解析部１００は、外部光源３０からの発光量の測定結果の時系列に基づいて、外部光源プロファイルを解析する。
【００７７】
{２−２−２．自光源プロファイル生成部１０２}
第２の実施形態による自光源プロファイル生成部１０２は、外部光源プロファイル解析部１００により解析された外部光源プロファイルと、予め設定された目標光量との比較に基づいて、自光源プロファイルを生成する。なお、目標光量は、制御装置１０‐２内に記憶され得る。また、目標光量は、例えば操作部に対するユーザの操作に基づいて随時変更され得る。
【００７８】
図１１は、第２の実施形態による自光源プロファイルの生成例を示した説明図である。なお、図１１に示した（外部光源３０の発光量の）波形５０は、解析された外部光源プロファイルに対応する、発光量の時間変化の例を示している。図１１に示した領域５４のように、自光源プロファイル生成部１０２は、目標光量と外部光源３０の発光量との差分と等しくなるように、光源部２０２による可視光の発光量を逐次調整するための自光源プロファイルを生成する。
【００７９】
{２−２−３．同期信号検出部１１０}
同期信号検出部１１０は、本開示における同期信号特定部の一例である。同期信号検出部１１０は、外光センサ３４による、外部光源３０から発せられる光の測定結果に基づいて、同期すべき周期およびタイミングを特定することにより、同期信号を検出する。例えば、図１２に示したように、同期信号検出部１１０は、外部光源３０からの発光量が減少から増加に変わるタイミング（例えば、時刻ｔ２や時刻ｔ３など）を、同期信号の出力タイミングとして検出する。また、同期信号検出部１１０は、検出した同期信号を同期制御部１０６へ伝達する。
【００８０】
{２−２−４．同期制御部１０６}
第２の実施形態による同期制御部１０６は、同期信号検出部１１０により検出された同期信号を光源制御部１０８へ伝達する。
【００８１】
なお、第２の実施形態では、上述したように、外部光源３０による発光量と、光源部２０２による発光量との合計が略一定となるので、仮に光源部２０２による発光と撮像部２００による撮像とが同期されていなくても、アーティファクトの発生を大きく抑制することができる。だが、さらに画質を向上させるために、同期制御部１０６は、同期信号検出部１１０により検出された同期信号に基づいて撮像部２００に撮像させることが望ましい。これにより、フレームごとの、外部光源３０の発光量と光源部２０２の発光量との比を略一定にすることが可能であり、フレームごとの色合いを安定化することができる。
【００８２】
＜２−３．動作＞
以上、第２の実施形態による構成について説明した。次に、第２の実施形態による動作について、図１３を参照して説明する。図１３は、第２の実施形態による動作例を示したフローチャートである。
【００８３】
図１３に示したように、まず、制御装置１０‐２は、外光センサ３４による、外部光源３０から発せられる光の測定結果を外光センサ３４から取得する（Ｓ２０１）。
【００８４】
続いて、外部光源プロファイル解析部１００は、取得された測定結果に基づいて外部光源プロファイルを解析する。同時に、同期信号検出部１１０は、取得された測定結果に基づいて同期信号を検出する（Ｓ２０３）。
【００８５】
続いて、自光源プロファイル生成部１０２は、例えば制御装置１０‐１内に記憶されている、設定された目標光量を特定する（Ｓ２０５）。そして、自光源プロファイル生成部１０２は、Ｓ２０３で解析された外部光源プロファイルと、Ｓ２０５で特定された目標光量との比較に基づいて自光源プロファイルを生成する（Ｓ２０７）。
【００８６】
続いて、光源制御部１０８は、Ｓ２０３で検出された同期信号と、Ｓ２０７で生成された自光源プロファイルとに基づいて、光源部２０２に対する発光の制御を行う。同時に、同期制御部１０６は、Ｓ２０３で検出された同期信号に基づいて、撮像部２００に対する撮像の制御を行う（Ｓ２０９）。
【００８７】
なお、図１３に示したＳ２１１〜Ｓ２１３の処理は、第１の実施形態によるＳ１１１〜Ｓ１１３と同様である。
【００８８】
＜２−４．効果＞
以上説明したように、第２の実施形態によれば、制御装置１０‐２は、外部光源３０から発せられる光の測定結果に基づいて外部光源プロファイルおよび同期信号を特定し、そして、当該外部光源プロファイルと目標光量との比較、および、当該同期信号に基づいて、光源部２０２に対する発光の制御を行う。これにより、例えば、外部光源３０による発光量と、光源部２０２による発光量との合計が略一定となるように光源部２０２に発光させることができる。従って、撮像部２００により撮像される画像において外部光源３０起因のアーティファクトが発生することを防止することができる。
【００８９】
＜＜３．第３の実施形態＞＞
以上、第２の実施形態について説明した。上述したように、第１の実施形態および第２の実施形態では、制御装置１０が外部光源３０に対して制御できない場面を想定した。
【００９０】
次に、第３の実施形態について説明する。第３の実施形態では、制御装置１０が外部光源３０に対する発光の制御が可能である場面を想定する。後述するように、第３の実施形態による制御装置１０‐３は、外部光源３０から発せられる光に基づいて特定される同期信号に基づいて、光源部２０２および外部光源３０に対する発光の制御を行うことが可能である。
【００９１】
＜３−１．構成＞
{３−１−１．制御装置１０‐３}
まず、第３の実施形態による構成について詳細に説明する。図１４は、第３の実施形態による制御装置１０‐３および外部光源３０の構成例を示した機能ブロック図である。図１４に示すように、制御装置１０‐３は、図２に示した制御装置１０‐１と比較して、外部光源プロファイル生成部１１２をさらに有し、かつ、外部光源プロファイル解析部１００を有しない。なお、以下では、第１の実施形態と異なる機能を有する構成要素についてのみ説明を行う。
【００９２】
（３−１−１−１．外部光源プロファイル生成部１１２）
外部光源プロファイル生成部１１２は、所定の情報に基づいて、外部光源プロファイルを生成する。ここで、所定の情報は、外部光源３０と光源部２０２との協調動作に関する設定情報を含んでもよいし、または、外部光源３０の仕様の情報を含んでもよい。また、外部光源プロファイル生成部１１２は、生成した外部光源プロファイルを外部光源３０へ提供する。
【００９３】
（３−１−１−２．自光源プロファイル生成部１０２）
第３の実施形態による自光源プロファイル生成部１０２は、ユーザにより指定される観察モードに基づいて、自光源プロファイルを生成する。例えば、自光源プロファイル生成部１０２は、外部光源プロファイル生成部１１２により生成される外部光源プロファイルと発光周波数が同じで、かつ、位相差が、指定された観察モードに応じた角度（例えば１８０度や０度など）であるような自光源プロファイルを生成する。
【００９４】
（３−１−１−３．同期制御部１０６）
第３の実施形態による同期制御部１０６は、同期信号解析部１０４により解析された同期信号に基づいて外部光源用同期信号をさらに生成し、そして、生成した外部光源用同期信号を外部光源３０へ提供する。あるいは、同期制御部１０６は、同期信号解析部１０４により解析された同期信号自体を外部光源３０へ提供してもよい。
【００９５】
{３−１−２．外部光源３０}
外部光源３０は、図１４に示すように、光源制御部３００、および、光源部３０２を有する。
【００９６】
（３−１−２−１．光源制御部３００）
光源制御部３００は、本開示における光源制御部の一例である。光源制御部３００は、制御装置１０‐３から提供される外部光源プロファイルと、制御装置１０‐３から提供される外部光源用同期信号（または同期信号）とに基づいて、光源部３０２に対する発光の制御を行う。
【００９７】
（３−１−２−２．光源部３０２）
光源部３０２は、ＬＥＤなどの半導体光源や蛍光灯などであり得る。光源部３０２は、光源制御部３００の制御に従って発光する。
【００９８】
＜３−２．効果＞
以上説明したように、第３の実施形態によれば、制御装置１０‐３は、外部光源３０から発せられる光に基づいて特定される同期信号と、ユーザにより指定される観察モードとに基づいて、光源部２０２および外部光源３０に対する発光の制御を行う。このように、外部光源３０と光源部２０２とを協調動作させることにより、ユーザにより指定される観察モードにさらに適した発光を行うことができる。その結果、撮像画像の画質をさらに向上させることができる。
【００９９】
＜＜４．変形例＞＞
以上、添付図面を参照しながら本開示の好適な実施形態について詳細に説明したが、本開示はかかる例に限定されない。本開示の属する技術の分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１００】
例えば、図１および図９では、外部光源３０を一個（または一セット）だけ記載しているが、かかる例に限定されず、手術室内には、一以上の種類の外部光源３０が複数個設置されてもよい。この場合、制御装置１０‐１または制御装置１０‐２は、全ての外部光源３０から発せられる光が照射される被写体の撮像画像、または、外光センサ３４による測定結果に基づいて、外部光源プロファイルおよび同期信号を特定してもよい。そして、制御装置１０は、特定した外部光源プロファイルと、特定した同期信号とに基づいて、光源部２０２に対する発光の制御を行うことが可能である。
【０１０１】
また、上述した各実施形態の動作における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。また、記載されたステップのうちの一部が省略されたり、または、別のステップがさらに追加されてもよい。
【０１０２】
また、上述した各実施形態によれば、ＣＰＵやＧＰＵ等のプロセッサ、メモリ等の記憶素子、および／または、ＦＰＧＡ等のプログラマブルロジックデバイスなどのハードウェアを、上述した各実施形態による制御装置１０の各構成と同等の機能を発揮させるためのコンピュータプログラムも提供可能である。また、該コンピュータプログラムが記録された記録媒体も提供される。
【０１０３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０４】
なお、以下のような構成も本開示の技術的範囲に属する。
（１）
第１の光源から発せられる光のプロファイル、および、前記第１の光源と、術部に対して光を照射するための第２の光源との間でタイミングを同期させるための同期信号に基づいて、前記第２の光源に対する発光の制御を行う光源制御部、
を備える、制御装置。
（２）
前記プロファイルは、前記第１の光源から発せられる光の明るさの変化の規則性に関する情報を含む、前記（１）に記載の制御装置。
（３）
前記プロファイルは、前記第１の光源から発せられる光の変調パターン、発光周波数、または、当該光の照明色を含む、前記（２）に記載の制御装置。
（４）
前記制御装置は、前記第１の光源から発せられる光が照射される被写体の撮像画像を解析することにより前記プロファイルを特定するプロファイル特定部をさらに備える、前記（２）または（３）に記載の制御装置。
（５）
前記制御装置は、前記第１の光源から発せられる光の測定結果を解析することにより前記プロファイルを特定するプロファイル特定部をさらに備える、前記（２）または（３）に記載の制御装置。
（６）
前記光源制御部は、前記プロファイルが示す、前記第１の光源から発せられる光の強度の変化に応じて、前記第２の光源の発光強度を変化させる、前記（２）〜（５）のいずれか一項に記載の制御装置。
（７）
前記光源制御部は、前記第１の光源から光が発せられない期間には前記第２の光源に発光させ、かつ、前記第１の光源から光が発せられる期間には前記第２の光源に発光させない、前記（６）に記載の制御装置。
（８）
前記第１の光源は、第１の光を発し、
前記第２の光源は、前記第１の光とは異なる種類の第２の光を発する、前記（７）に記載の制御装置。
（９）
前記光源制御部は、前記第１の光源から発せられる光の強度が小さくなるほど、前記第２の光源の発光強度が大きくなるように、前記第２の光源に対する発光の制御を行う、前記（６）に記載の制御装置。
（１０）
前記光源制御部は、前記第１の光源から発せられる光の光量と、目標光量との比較に基づいて、前記第２の光源の発光量を決定する、前記（６）または（９）に記載の制御装置。
（１１）
前記第１の光源および前記第２の光源は、同じ種類の光を発する、前記（９）または（１０）に記載の制御装置。
（１２）
前記光源制御部は、さらに、ユーザにより指定される観察モードに基づいて、前記第２の光源に対する発光の制御を行う、前記（６）〜（１１）のいずれか一項に記載の制御装置。
（１３）
前記制御装置は、前記第１の光源から発せられる光が照射される被写体の撮像画像を解析することにより前記同期信号を特定する同期信号特定部をさらに備える、前記（２）〜（１２）のいずれか一項に記載の制御装置。
（１４）
前記制御装置は、前記第１の光源から発せられる光の測定結果に基づいて、前記同期信号を特定する同期信号特定部をさらに備える、前記（２）〜（１２）のいずれか一項に記載の制御装置。
（１５）
前記制御装置は、前記同期信号に基づいて、撮像部に対する撮像の制御を行う撮像制御部をさらに備える、前記（１）〜（１４）のいずれか一項に記載の制御装置。
（１６）
前記撮像制御部は、前記撮像部に、前記同期信号に同期して撮像させる、前記（１５）に記載の制御装置。
（１７）
前記光源制御部は、さらに、前記プロファイルと前記同期信号とに基づいて、前記第１の光源に対する発光の制御を行う、前記（１）〜（１６）のいずれか一項に記載の制御装置。
（１８）
前記第２の光源は、半導体光源である、前記（１）〜（１７）のいずれか一項に記載の制御装置。
（１９）
第１の光源と、
術部に対して光を照射するための第２の光源と、
撮像部と、
前記第１の光源から発せられる光のプロファイル、および、前記第１の光源と前記第２の光源との間でタイミングを同期させるための同期信号に基づいて、前記第２の光源に対する発光の制御を行う光源制御部と、
前記同期信号に基づいて、前記撮像部に対する撮像の制御を行う撮像制御部と、
を備える、制御システム。
（２０）
第１の光源から発せられる光のプロファイル、および、前記第１の光源と、術部に対して光を照射するための第２の光源との間でタイミングを同期させるための同期信号に基づいて、前記第２の光源に対する発光の制御をプロセッサが行うこと、
を含む、制御方法。
【符号の説明】
【０１０５】
１０‐１、１０‐２、１０‐３  制御装置
２０  観察装置
２２  観察部
２４  筒状部
２６  アーム部
２８  ベース部
３０  外部光源
３２  表示装置
３４  外光センサ
１００  外部光源プロファイル解析部
１０２  自光源プロファイル生成部
１０４  同期信号解析部
１０６  同期制御部
１０８、３００  光源制御部
１１０  同期信号検出部
１１２  外部光源プロファイル生成部
２００  撮像部
２０２、３０２  光源部
【図１】
2018025457.tif 000003
【図２】
2018025457.tif 000004
【図３】
2018025457.tif 000005
【図４】
2018025457.tif 000006
【図５】
2018025457.tif 000007
【図６】
2018025457.tif 000008
【図７】
2018025457.tif 000009
【図８】
2018025457.tif 000010
【図９】
2018025457.tif 000011
【図１０】
2018025457.tif 000012
【図１１】
2018025457.tif 000013
【図１２】
2018025457.tif 000014
【図１３】
2018025457.tif 000015
【図１４】
2018025457.tif 000016
【国際調査報告】
2018025457.tif 000017
2018025457.tif 000018
2018025457.tif 000019
2018025457.tif 000020